(57)【特許請求の範囲】
【請求項１】
デッキの角部に形成された、複数のコップ状の脚部からなる隅部脚部群と、隅部脚部群の中間に形成された、同じく複数のコップ状の脚部からなる中間部脚部群と、デッキの中央部に形成された、同じく複数のコップ状の脚部からなる中央部脚部群とを有する合成樹脂製パレットにおいて、隅部脚部群が、１つの角部脚部と２つの辺部側脚部とにより構成されているとともに、中間部脚部群が、２つの辺部側脚部と１つの中央寄り脚部とにより構成されており、更に、中央部脚部群が、田の字状に配設された４つの中央部脚部により構成されており、また、隅部脚部群を構成する辺部側脚部の側壁と中間部脚部群を構成する中央寄り脚部の側壁とが脚部連結リブにより連結されているとともに、デッキの辺部には、デッキに対して略垂直に周状スカートが垂下されており、且つ、角部板状部に沿って形成された角部スカート部の高さ及び中間板状部に沿って形成されたスカート部の高さが、角部板状部と中間板状部との間に位置するスカート部の高さより高く形成されていることを特徴とする合成樹脂製パレット。
【請求項２】
隅部脚部群を構成する辺部側脚部の側壁と中間部脚部群を構成する中央寄り脚部の側壁とを連結する脚部連結リブのリブ間隔が、他の脚部の相対する側壁を連結する脚部連結リブのリブ間隔より狭く形成されていることを特徴とする請求項１に記載の合成樹脂製パレット。
【請求項３】
隅部脚部群を構成する辺部側脚部の側壁と中間部脚部群を構成する中央寄り脚部の側壁とを連結する脚部連結リブの肉厚が、他のリブの肉厚より厚く形成されていることを特徴とする請求項１に記載の合成樹脂製パレット。
【請求項４】
隅部脚部群を構成する辺部側脚部の側壁と中間部脚部群を構成する中央寄り脚部の側壁とを連結する脚部連結リブのリブ間隔が、他の脚部の相対する側壁を連結する脚部連結リブのリブ間隔より狭く形成されているとともに、隅部脚部群を構成する辺部側脚部の側壁と中間部脚部群を構成する中央寄り脚部の側壁とを連結する脚部連結リブの肉厚が、他のリブの肉厚より厚く形成されていることを特徴とする請求項１に記載の合成樹脂製パレット。
【請求項５】
脚部連結リブが連結されている隅部脚部群を構成する辺部側脚部の側壁の肉厚及び同じく、脚部連結リブが連結されている中間部脚部群を構成する中央寄り脚部の側壁の肉厚のみが、厚く形成されていることを特徴とする請求項１〜請求項４のいずれか１項に記載の合成樹脂製パレット。
【発明の詳細な説明】
【技術分野】
【０００１】
本発明は、荷物が載置されるデッキの下面に、複数の有底でコップ状の脚部が形成されている合成樹脂製パレットに関するものである。
【背景技術】
【０００２】
従来、デッキの４つの角部に形成された、複数の上方が開放され、且つ、有底なコップ状の脚部からなる隅部脚部群と、隅部脚部群の中間に形成された、同じく複数のコップ状の脚部からなる中間部脚部群と、デッキの中央部に形成された、同じく複数のコップ状の脚部からなる中央部脚部群とを有し、隅部脚部群と中間部脚部群との間及び中間部脚部群と中央部脚部群との間に、フォーク挿入空間が形成されている合成樹脂製パレットが、一例として、特許文献１に開示されている知られている。
【０００３】
上述した合成樹脂製パレットは、下に位置する合成樹脂製パレットの有底でコップ状の脚部に、上に位置する合成樹脂製パレットの脚部を挿入することにより、上下に段積みされた合成樹脂製パレットの高さを低くすることができる、所謂、ネスティング可能に構成されている。
【０００４】
【特許文献１】特開平１１−３５０３９号公報
【発明の開示】
【発明が解決しようとする課題】
【０００５】
従来、隅部脚部群、中間部脚部群及び中央部脚部群を構成する脚部の数を増やすことにより、脚部群の強度や剛性を上げ、ひいては、合成樹脂製パレットの強度や剛性を上げることが行われているが、脚部群を構成する脚部の数を増やすと、下に位置する合成樹脂製パレットの脚部の上部開口部への下に位置する合成樹脂製パレットの脚部を挿入するネスティング作業が、脚部群を構成する脚部の数が少ない合成樹脂製パレットに比べて、難しくなり、従って、ネスティング作業に時間がかかり、ネスティング作業の作業性が悪くなるという問題があった。
【０００６】
また、脚部群を構成する脚部の数を増やすと、デッキに載置された荷物が、袋物や段ボール等の変形しやすい物であると、荷物のデッキと接触している部分が、脚部の上部開口部に入り込み、デッキからの荷物の引き下ろしが円滑に行えないという問題があった。
【０００７】
更に、逆に、脚部群を構成する脚部の数を少なくすると、脚部群の強度や剛性が低下したり、脚部群間に位置するデッキの強度や剛性が低下するという問題があった。
【０００８】
本発明の目的は、上述した従来の合成樹脂製パレットが有する課題を解決することにある。
【課題を解決するための手段】
【０００９】
デッキの角部に形成された、複数のコップ状の脚部からなる隅部脚部群と、隅部脚部群の中間に形成された、同じく複数のコップ状の脚部からなる中間部脚部群と、デッキの中央部に形成された、同じく複数のコップ状の脚部からなる中央部脚部群とを有する合成樹脂製パレットにおいて、第１には、隅部脚部群が、１つの角部脚部と２つの辺部側脚部とにより構成されているとともに、中間部脚部群が、２つの辺部側脚部と１つの中央寄り脚部とにより構成されており、更に、中央部脚部群が、田の字状に配設された４つの中央部脚部により構成されており、また、隅部脚部群を構成する辺部側脚部の側壁と中間部脚部群を構成する中央寄り脚部の側壁とが脚部連結リブにより連結されているとともに、デッキの辺部には、デッキに対して略垂直に周状スカートが垂下されており、且つ、角部板状部に沿って形成された角部スカート部の高さ及び中間板状部に沿って形成されたスカート部の高さを、角部板状部と中間板状部との間に位置するスカート部の高さより高く形成したものであり、第２には、隅部脚部群を構成する辺部側脚部の側壁と中間部脚部群を構成する中央寄り脚部の側壁とを連結する脚部連結リブのリブ間隔を、他の脚部の相対する側壁を連結する脚部連結リブのリブ間隔より狭くしたものであり、第３には、隅部脚部群を構成する辺部側脚部の側壁と中間部脚部群を構成する中央寄り脚部の側壁とを連結する脚部連結リブの肉厚を、他のリブの肉厚より厚く形成したものであり、第４には、隅部脚部群を構成する辺部側脚部の側壁と中間部脚部群を構成する中央寄り脚部の側壁とを連結する脚部連結リブのリブ間隔を、他の脚部の相対する側壁を連結する脚部連結リブのリブ間隔より狭くするとともに、隅部脚部群を構成する辺部側脚部の側壁と中間部脚部群を構成する中央寄り脚部の側壁とを連結する脚部連結リブの肉厚を、他のリブの肉厚より厚く形成したものであり、第５には、脚部連結リブが連結されている隅部脚部群を構成する辺部側脚部の側壁の肉厚及び同じく、脚部連結リブが連結されている中間部脚部群を構成する中央寄り脚部の側壁の肉厚のみを、厚くしたものである。
【発明の効果】
【００１０】
隅部脚部群が、１つの角部脚部と２つの辺部側脚部とにより構成されているとともに、中間部脚部群が、２つの辺部側脚部と１つの中央寄り脚部とにより構成されており、且つ、隅部脚部群を構成する辺部側脚部の側壁と中間部脚部群を構成する中央寄り脚部の側壁とを脚部連結リブにより連結したので、隅部脚部群及び中間部脚部群の脚部の数を少なくしたにもかかわらず、合成樹脂製パレットの重量を増加することなく、合成樹脂製パレットの強度や剛性の低下を防止することができる。
【００１１】
隅部脚部群を構成する辺部側脚部の側壁と中間部脚部群を構成する中央寄り脚部の側壁とを連結する脚部連結リブのリブ間隔を、他の脚部の相対する側壁を連結する脚部連結リブのリブ間隔より狭くしたので、隅部脚部群及び中間部脚部群を構成する脚部の数を減らしたことによる合成樹脂製パレットの強度や剛性の低下を補償することができる。
【００１２】
隅部脚部群を構成する辺部側脚部の側壁と中間部脚部群を構成する中央寄り脚部の側壁とを連結する脚部連結リブの肉厚を、他のリブの肉厚より厚く形成したので、隅部脚部群及び中間部脚部群を構成する脚部の数を減らしたことによる合成樹脂製パレットの強度や剛性の低下を補償することができる。
【００１３】
隅部脚部群を構成する辺部側脚部の側壁と中間部脚部群を構成する中央寄り脚部の側壁とを連結する脚部連結リブのリブ間隔を、他の脚部の相対する側壁を連結する脚部連結リブのリブ間隔より狭くするとともに、隅部脚部群を構成する辺部側脚部の側壁と中間部脚部群を構成する中央寄り脚部の側壁とを連結する脚部連結リブの肉厚を、他のリブの肉厚より厚く形成したので、隅部脚部群及び中間部脚部群を構成する脚部の数を減らしたことによる合成樹脂製パレットの強度や剛性の低下を補償することができる。
【００１４】
脚部連結リブが連結されている隅部脚部群を構成する辺部側脚部の側壁の肉厚及び同じく、脚部連結リブが連結されている中間部脚部群を構成する中央寄り脚部の側壁の肉厚のみを、厚くしたので、合成樹脂製パレットの強度や剛性を更に上げることができる。
【実施例】
【００１５】
以下に、本発明の実施例について説明するが、本発明の趣旨を越えない限り何ら、本実施例に限定されるものではない。
【００１６】
先ず最初に、図１〜図４を用いて、本発明の実施例について説明する。
【００１７】
１が、平面形状が、略方形状のデッキであり、デッキ１の４つの角部には、略方形状の角部板状部１ａが形成されており、また、角部板状部１ａの中間部には、中間板状部１ｂが形成されており、更に、デッキ１の中央部には、略方形状の中央板状部１ｃが形成されているとともに、角部板状部１ａと中間板状部１ｃは、デッキ１の辺部１’に沿って、帯状連結板部１ｄにより連結されている。
【００１８】
デッキ１の角部板状部１ａには、１つの角部脚部Ｃ１が形成されているとともに、デッキ１の辺部１’に沿って、角部脚部Ｃ１に並設して、２つの辺部側脚部Ｃ２が形成されており、１つの角部脚部Ｃ１と２つの辺部側脚部Ｃ２の合計３つの脚部により、隅部脚部群２が構成されている。
【００１９】
中間板状部１ｂには、デッキ１の辺部１’に沿って、２つの辺部側脚部Ｃ３が並設して形成されているとともに、２つの辺部側脚部Ｃ３の中央部脚部群４側には、２つの辺部側脚部Ｃ３の中間に位置する中央寄り脚部Ｃ４が形成されており、２つの辺部側脚部Ｃ３と１つの中央寄り脚部Ｃ４の合計３つの脚部により、中間部脚部群３が構成されている。
【００２０】
中央板状部１ｃには、田の字状に、４つの中央部脚部Ｃ５が形成されており、４つの中央部脚部Ｃ５により、中央部脚部群４が構成されている。
【００２１】
上述した脚部Ｃ１〜Ｃ５は、下端に向かって先細り状に形成されたコップ状に形成されており、平面形状が略方形状の底部ｃ１と、底部ｃ１からデッキ１まで延在する４つの側壁ｃ２と、上部開口ｃ３とを有している。
【００２２】
デッキ１の辺部１’には、デッキ１に対して略垂直に周状スカート５が形成されており、角部板状部１ａに沿って形成された、略くの字状の角部スカート部５ａの高さｈ１及び中間板状部１ｂに沿って形成されたスカート部５ｂの高さｈ１は、角部板状部１ａと中間板状部１ｂとの間に位置するスカート部５ｃの高さｈ２より高く形成されており、隅部脚部群２及び中間部脚部群３付近の強度や剛性を高めるように構成されている。
【００２３】
帯状連結板部１ｄの内側に位置する辺部には、隅部脚部群２を構成する辺部側脚部Ｃ２及び中間部脚部群３を構成する辺部側脚部Ｃ３の相対する側壁ｃ２を連結するリブ（以下、このリブを、最外周リブという。）６が形成されており、最外周リブ６の高さは、角部スカート部５ａの高さと略同じ高さに形成されている。また、角部板状部１ａと中間板状部１ｂとの間に位置するスカート部５ｃと最外周リブ６との間には、スカート部５ｃと最外周リブ６とを架橋する架橋リブ７が形成されており、角部板状部１ａと中間板状部１ｂとの間に位置するスカート部５ｃの高さは、最外周リブ６の高さより低く形成されているので、架橋リブ７の下端は、スカート部５ｃから最外周リブ６に向かって上方に傾斜した傾斜下端７ａとして形成されている。架橋リブ７の下端を、スカート部５ｃから最外周リブ６に向かって上方に傾斜した傾斜下端７ａとしたことにより、隅部脚部群２と中間部脚部群３との間に挿入されるフォークの先端を、傾斜下端７ａに沿って内部方向に誘導することができ、フォークの先端が、最外周リブ６に当接し、最外周リブ６が損傷するようなことを防止することができる。
【００２４】
８ａは、相対する最外周リブ６を連結する最外周リブ連結リブであり、デッキ１の一方の相対する辺部１’に平行に複数本の最外周リブ連結リブ８ａが形成されているとともに、デッキ１のもう一方の相対する辺部１’に平行に複数本の最外周リブ連結リブ８ａが形成されている。この最外周リブ連結リブ８ａは、上述したスカート部５ｃと最外周リブ６とを架橋する架橋リブ７に連結されていることが好ましい。
【００２５】
また、８ｂは、隅部脚部群２を構成する辺部側脚部Ｃ２及び中間部脚部群３を構成する辺部側脚部Ｃ３の相対する側壁ｃ２、隅部脚部群２を構成する辺部側脚部Ｃ２及び中間部脚部群３を構成する中央寄り脚部Ｃ４の相対する側壁ｃ２、中間部脚部群３を構成する辺部側脚部Ｃ３及び中央部脚部群４を構成する中央部脚部Ｃ５の相対する側壁ｃ２、相対する中間部脚部群３を構成する中央寄り脚部Ｃ４の相対する側壁ｃ２同士等の相対する脚部Ｃ２〜Ｃ５の相対する側壁ｃ２を連結する脚部連結リブである。なお、中間部脚部群３を構成する中央寄り脚部Ｃ４及び中央部脚部群４を構成する中央部脚部Ｃ５の相対する側壁ｃ２を、脚部連結リブ８ｂにより連結することができる。
【００２６】
更に、８ｃは、隅部脚部群２を構成する角部脚部Ｃ１や辺部側脚部Ｃ２の側壁ｃ２と周状スカート５及び中間部脚部群３を構成する辺部側脚部Ｃ３の側壁ｃ２と周状スカート５を連結する周状スカート・脚部連結リブである。
【００２７】
更にまた、８ｄは、隅部脚部群２を構成する角部脚部Ｃ１の側壁ｃ２と辺部側脚部Ｃ２の側壁ｃ２、中間部脚部群３を構成する辺部側脚部Ｃ３の側壁ｃ２と中央寄り脚部Ｃ４の側壁ｃ２及び中央部脚部群４を構成する中央部脚部Ｃ５の側壁ｃ２同士を連結する桁間連結リブである。
【００２８】
上述した、最外周リブ連結リブ８ａ、脚部連結リブ８ｂ、周状スカート・脚部連結リブ８ｃ、桁間連結リブ８ｄのリブのうち、隣り合うリブ間の間隔は、略同じになるように構成されているとともに、これらリブの肉厚ｔ１も略同じ厚さに形成されている。
【００２９】
上述したように、隅部脚部群２が、１つの角部脚部Ｃ１と２つの辺部側脚部Ｃ２とにより構成されているとともに、中間部脚部群３が、２つの辺部側脚部Ｃ３と１つの中央寄り脚部Ｃ４とにより構成されており、且つ、隅部脚部群２を構成する辺部側脚部Ｃ２の側壁ｃ２と中間部脚部群３を構成する中央寄り脚部Ｃ４の側壁ｃ２とを脚部連結リブ８ｂにより連結したので、隅部脚部群２及び中間部脚部群３の脚部の数を少なくしたにもかかわらず、合成樹脂製パレットの重量を増加することなく、合成樹脂製パレットの強度や剛性の低下を防止することができる。
【００３０】
上述したように、隅部脚部群２が、１つの角部脚部Ｃ１と２つの辺部側脚部Ｃ２の合計３つの脚部により構成され、また、中間部脚部群３が、２つの辺部側脚部Ｃ３と１つの中央寄り脚部Ｃ４の合計３つの脚部により構成され、更に、中央部脚部群４が、田の字状に配置された４つの中央部脚部Ｃ５により構成されている。このように、従来の合成樹脂製パレットの脚部群に比べて、脚部の数を少なくしたことにより、ネスティング作業の作業性が向上する。
【００３１】
また、中間部脚部群３を、中央部脚部群４から見た場合に、中間部脚部群３を構成する、デッキ１の辺部１’に沿って並設された２つの辺部側脚部Ｃ３間に形成された間隙を、塞ぐように、且つ、２つの辺部側脚部Ｃ３の中間に、中央寄り脚部Ｃ４が配置されているので、脚部の数が少ないにもかかわらず、中間部脚部群３の曲げ剛性が向上する。従って、所定の間隔を置いて配置された棚受けに、合成樹脂製パレットを載置しても、合成樹脂製パレットの中間部脚部群３付近が、下方に湾曲するようなことを防止することができる。
【００３２】
次に、図５及び図６を用いて、本発明の別の実施例について説明するが、この実施例においても、上述した実施例における全ての構成部材を含んでいるので、以下においては、上述した実施例と異なる構成部材についてのみ説明する。
【００３３】
隅部脚部群２を構成する辺部側脚部Ｃ２の側壁ｃ２と中間部脚部群３を構成する中央寄り脚部Ｃ４の側壁ｃ２とを連結する脚部連結リブ８ｂの本数を増やして、隅部脚部群２を構成する辺部側脚部Ｃ２の側壁ｃ２と中間部脚部群３を構成する中央寄り脚部Ｃ４の側壁ｃ２とを連結する脚部連結リブ８ｂのリブ間隔を、他の脚部Ｃ２、Ｃ３、Ｃ４、Ｃ５の相対する側壁２ｃを連結する脚部連結リブ８ｂのリブ間隔より狭くしたものである。
【００３４】
上述したように、隅部脚部群２を構成する辺部側脚部Ｃ２の側壁ｃ２と中間部脚部群３を構成する中央寄り脚部Ｃ４の側壁ｃ２とを連結する脚部連結リブ８ｂのリブ間隔を、他の脚部Ｃ２、Ｃ３、Ｃ４、Ｃ５の相対する側壁２ｃを連結する脚部連結リブ８ｂのリブ間隔より狭くすることにより、隅部脚部群２及び中間部脚部群３を構成する脚部の数を減らしたことによる合成樹脂製パレットの強度や剛性の低下を補償するようにしたものである。このように、脚部連結リブ８ｂの本数を増やしても、脚部の数を少なくしているので、合成樹脂製パレットの全体重量が増加するようなことがない。
【００３５】
次に、図７を用いて、本発明の更に別の実施例について説明するが、この実施例においても、上述した実施例における全ての構成部材を含んでいるので、以下においては、上述した実施例と異なる構成部材についてのみ説明する。
【００３６】
この実施例においては、隅部脚部群２を構成する辺部側脚部Ｃ２の側壁ｃ２と中間部脚部群３を構成する中央寄り脚部Ｃ４の側壁ｃ２とを連結する脚部連結リブ８ｂの肉厚ｔ２を、他の脚部連結リブ８ｂや最外周リブ連結リブ８ａや脚部連結リブ８ｂや周状スカート・脚部連結リブ８ｃや桁間連結リブ８ｄの肉厚ｔ１より厚く形成したものである。
【００３７】
上述したように、隅部脚部群２を構成する辺部側脚部Ｃ２の側壁ｃ２と中間部脚部群３を構成する中央寄り脚部Ｃ４の側壁ｃ２とを連結する脚部連結リブ８ｂの肉厚ｔ２を、他の脚部連結リブ８ｂや最外周リブ連結リブ８ａや脚部連結リブ８ｂや周状スカート・脚部連結リブ８ｃや桁間連結リブ８ｄの肉厚ｔ１より厚く形成したことにより、隅部脚部群２及び中間部脚部群３を構成する脚部の数を減らしたことによる合成樹脂製パレットの強度や剛性の低下を補償するようにしたものである。このように、隅部脚部群２を構成する辺部側脚部Ｃ２の側壁ｃ２と中間部脚部群３を構成する中央寄り脚部Ｃ４の側壁ｃ２とを連結する脚部連結リブ８ｂの肉厚ｔ２を厚くしても、脚部の数を少なくしているので、合成樹脂製パレットの全体重量が増加するようなことがない。
【００３８】
次に、図８を用いて、本発明のなお更なる別の実施例について説明するが、この実施例においても、上述した実施例における全ての構成部材を含んでいるので、以下においては、上述した実施例と異なる構成部材についてのみ説明する。
【００３９】
この実施例は、図５及び図６に示されている、隅部脚部群２を構成する辺部側脚部Ｃ２の側壁ｃ２と中間部脚部群３を構成する中央寄り脚部Ｃ４の側壁ｃ２とを連結する脚部連結リブ８ｂのリブ間隔を、他の脚部Ｃ２、Ｃ３、Ｃ４、Ｃ５の相対する側壁２ｃを連結する脚部連結リブ８ｂのリブ間隔より狭くするとともに、図７に示されている、隅部脚部群２を構成する辺部側脚部Ｃ２の側壁ｃ２と中間部脚部群３を構成する中央寄り脚部Ｃ４の側壁ｃ２とを連結する脚部連結リブ８ｂの肉厚ｔ２を、他の脚部連結リブ８ｂや最外周リブ連結リブ８ａや脚部連結リブ８ｂや周状スカート・脚部連結リブ８ｃや桁間連結リブ８ｄの肉厚ｔ１より厚く形成したものである。このように構成することにより、合成樹脂製パレットの重量を大きく増加することなく、合成樹脂製パレットの強度や剛性を上げることができる。
【００４０】
また、図１〜図４に示されている実施例、図５と図６に示されている実施例、図７に示されている実施例及び図８に示されている実施例において、脚部連結リブ８ｂが連結されている隅部脚部群２を構成する辺部側脚部Ｃ２の側壁ｃ２の肉厚及び同じく、脚部連結リブ８ｂが連結されている中間部脚部群３を構成する中央寄り脚部Ｃ４の側壁ｃ２の肉厚のみを、厚くすることにより、合成樹脂製パレットの強度や剛性を更に上げることができる。
【図面の簡単な説明】
【００４１】
【図１】図１は、本発明の合成樹脂製パレットの上方からの斜視図である。
【図２】図２は、本発明の合成樹脂製パレットの裏面斜視図である。
【図３】図３は、本発明の合成樹脂製パレットの平面図である。
【図４】図４は、本発明の合成樹脂製パレットの裏面図である。
【図５】図５は、本発明の他の実施例の合成樹脂製パレットの上方からの斜視図である。
【図６】図６は、図５に示されている合成樹脂製パレットの裏面図である。
【図７】図７は、本発明の更に他の実施例の合成樹脂製パレットの裏面図である。
【図８】図８は、本発明のなお更なる他の実施例の合成樹脂製パレットの裏面図である。
【符号の説明】
【００４２】
Ｃ１・・・・・・・・・・・角部脚部
Ｃ２、Ｃ３・・・・・・・・辺部側脚部
Ｃ４・・・・・・・・・・・中央寄り脚部
Ｃ５・・・・・・・・・・・中央部脚部
１・・・・・・・・・・・・デッキ
２・・・・・・・・・・・・隅部脚部群
３・・・・・・・・・・・・中間部脚部群
４・・・・・・・・・・・・中央部脚部群
８ａ・・・・・・・・・・・最外周リブ連結リブ
８ｂ・・・・・・・・・・・脚部連結リブ
８ｃ・・・・・・・・・・・周状スカート・脚部連結リブ
８ｄ・・・・・・・・・・・桁間連結リブ
【図１】
0004950843.tif 000002
【図２】
0004950843.tif 000003
【図３】
0004950843.tif 000004
【図４】
0004950843.tif 000005
【図５】
0004950843.tif 000006
【図６】
0004950843.tif 000007
【図７】
0004950843.tif 000008
【図８】
0004950843.tif 000009